(57)【要約】【課題】  投射型表示装置によって投射される画像の一部がスクリーン上に映し出されないようにすることによって、視聴者にとって目障りな不要画像のスクリーン上への写り込みを防ぐ。【解決手段】  鏡筒２０から投射した画像をスクリーン１００に表示させる表示装置本体１０と、鏡筒２０から投射される矩形の画像投射領域Ｚの一部だけを遮光して残部を透過させる遮光板４０と、遮光板４０を鏡筒の前方位置に配置するための遮光板支持機構３０とを有する。遮光板支持機構３０が、鏡筒に着脱可能な取付部３１と、遮光板４０を保持するホルダー部３５とを有する。遮光板４０が、矩形環状又はＬ字形の１枚又は２枚の板状体でなる。【選択図】        図５
2011053316.tif 000002
【特許請求の範囲】
【請求項１】
鏡筒から投射した画像をスクリーンに表示させる表示装置本体と、この表示装置本体の上記鏡筒から投射される矩形の画像投射領域の一部だけを遮光して残部を透過させる遮光板と、この遮光板を上記鏡筒の前方位置に配置するための遮光板支持機構と、を有することを特徴とする投射型表示装置。
【請求項２】
上記遮光板支持機構が、表示装置本体の上記鏡筒に着脱可能な取付部と、上記遮光板を保持するホルダー部と、を有してなる請求項１に記載した投射型表示装置。
【請求項３】
遮光板支持機構の上記ホルダー部に、上記遮光板の位置を変更する機能が付与されていて、その機能に基づいて上記遮光板の位置を変更することにより、当該遮光板によって上記画像投射領域のうちの遮光される領域及び透過される領域の各位置が変更されるように構成されている請求項２に記載した投射型表示装置。
【請求項４】
遮光板支持機構の上記ホルダー部が、相互間に上記遮光板の収容空間を形成する１組の枠部と、上記収容空間に収容した上記遮光板を１組の上記枠部により挟持させて位置決めするための締結具と、を有している請求項２又は請求項３に記載した投射型表示装置。
【請求項５】
上記遮光板が、矩形の上記画像投射領域の任意の１つの辺部を遮光する機能を有する板状体でなる請求項１ないし請求項４のいずれか１項に記載した投射型表示装置。
【請求項６】
上記遮光板が、矩形の上記画像投射領域の任意の１つの辺部又は複数の辺部を遮光する機能を有する矩形環状又はＬ字形の板状体でなる請求項１ないし請求項４のいずれか１項に記載した投射型表示装置。
【請求項７】
上記遮光板が、矩形の上記画像投射領域の任意の１つの辺部又は複数の辺部を遮光する機能を有する矩形環状又はＬ字形の２枚の板状体でなり、かつ、それらの２枚の板状体の重なり状態での相対位置を変更することによって、上記画像投射領域のうちの遮光される領域及び透過される領域のサイズ及び位置が変更可能とされている請求項１ないし請求項４のいずれか１項に記載した投射型表示装置。
【発明の詳細な説明】
【技術分野】
【０００１】
本発明は、投射型表示装置、特に、スクリーンに映し出される画像の一部だけを、スクリーン上から削除することのできる対策を講じた投射型表示装置に関する。
【背景技術】
【０００２】
投射型表示装置は、プロジェクタとも通称されていて、その鏡筒から投射した画像を、前方に設置したスクリーン上に映し出して表示する機能を有している。近時では、この種の投射型表示装置を用いてインターネット上で配信された映画などのコンテンツを視聴することが行われているけれども、特にインターネット上で配信された映画などのコンテンツでは、コマーシャル画像（ＣＭ）などが映画などのコンテンツそのものの画像の上に重畳されて同時に配信されていることもある。そのため、そのようなコンテンツを投射型表示装置を使用してスクリーン上に映し出して表示させたときには、コンテンツそのものの画像と共にコマーシャル画像もスクリーン上に表示されるので、コーシャル画像に興味のない視聴者にとってはそのコマーシャル画像が目立って煩わしくなるという状況が起こり得る。
【０００３】
そこで、従来は、プロジェクタとしての投射型表示装置の鏡筒のズーム機能などを利用してスクリーン上での投映画像のサイズや位置を調整することにより、コマーシャル画像などの不要画像をスクリーンの外側に移動させることにより、スクリーン上にコンテンツそのものの画像だけを映し出すということが行われていた。
【０００４】
一方、先行例として、プレゼンテーション資料をスクリーンに投映するためのプロジェクタシステムでは、プロジェクタによってスクリーン上に映し出された画像をデジタルカメラで撮影し、その画像の形状パターンを情報端末装置（パーソナルコンピュータ）によって取得した上で、その形状パターンに基づき、情報端末装置から出力した制御信号によってプロジェクタによる投光エリアやサイズを変更してスクリーンに合わせる、いう技術が提案されている（たとえば、特許文献１参照）。
【０００５】
他の先行例として、プロジェクタによりスクリーンに投射される画像の水平及び垂直の画素数と、スクリーンの縦横寸法のアスペクト比と、に基づいて当該スクリーン上の仮想表示領域を求め、仮想表示領域と入力映像のアスペクト比に基づいてプロジェクタによる実表示領域を求め、この実表示領域を利用して映像を投射することで欠けのない映像投射を行うという技術が提案されている（たとえば、特許文献２参照）。
【０００６】
さらに他の先行例として、、プロジェクタによりスクリーン上に映し出された画像の見掛けの色を、操作者の望む色に調整する方法についても提案されている（たとえば、特許文献３参照）。
【先行技術文献】
【特許文献】
【０００７】
【特許文献１】特開２００７−３０６６１３号公報
【特許文献２】特開２００４−３６１４４９号公報
【特許文献３】特開２００８−４６５３６号公報
【発明の概要】
【発明が解決しようとする課題】
【０００８】
しかしながら、コマーシャル画像などが重畳されて配信されているコンテンツを投射型表示装置を使用してスクリーン上に映し出して表示させる場合に、コマーシャル画像などの不要画像をスクリーンの外側に移動させてスクリーン上にコンテンツそのものの画像だけを映し出すという方法では、視聴者にとって、スクリーンの外側に映し出されるコマーシャル画像などの不要画像が目障りになることを避けられないという問題があった。
【０００９】
これに対し、上掲した各特許文献によって提案されている技術は、投射型表示装置によって投射される画像の一部をスクリーン上に映し出さないようにするというものではない。したがって、これらの各特許文献によって提案されている技術によっては上記の問題を改善することはできない。
【００１０】
本発明は上記の問題に鑑みてなされたものであり、投射型表示装置によって投射される画像の一部がスクリーン上に映し出されないようにすることによって、視聴者にとって目障りな不要画像のスクリーン上への写り込みを防ぐことのできる投射型表示装置を提供することを目的としている。
【課題を解決するための手段】
【００１１】
本発明に係る投射型表示装置は、鏡筒から投射した画像をスクリーンに表示させる表示装置本体と、この表示装置本体の上記鏡筒から投射される矩形の画像投射領域の一部だけを遮光して残部を透過させる遮光板と、この遮光板を上記鏡筒の前方位置に配置するための遮光板支持機構と、を有する。
【００１２】
この構成であれば、遮光板支持機構によって鏡筒の前方位置に配置された遮光板が、上記鏡筒から投射される矩形の画像投射領域の一部だけを遮光して残部を透過させる。そのため、スクリーン上には、遮光板を透過した画像投射領域の残部だけが映し出され、画像投射領域の一部は遮光板によりスクリーンへの写り込みが阻止される。したがって、遮光板で画像投射領域に含まれる不要画像を遮光させることにより、視聴者にとっては、不要画像がスクリーン上やスクリーンの外側にに映し出されて目障りになることがなくなる。
【００１３】
本発明では、上記遮光板支持機構が、表示装置本体の上記鏡筒に着脱可能な取付部と、上記遮光板を保持するホルダー部と、を有してなる、という構成を採用することが可能である。この発明によれば、遮光板支持機構が表示装置本体に取り付けられるために、床面上に遮光板支持機構を設置したりする煩わしさがなくなる。
【００１４】
本発明では、遮光板支持機構の上記ホルダー部に、上記遮光板の位置を変更する機能が付与されていて、その機能に基づいて上記遮光板の位置を変更することにより、当該遮光板によって上記画像投射領域のうちの遮光される領域及び透過される領域の各位置が変更されるように構成されていることが望ましい。この構成であれば、オペレータがスクリーン上に映し出された実写画像を見ながら、遮光板の位置を変更して画像投射領域のうちの遮光される領域及び透過される領域の各位置をスクリーンに対して適切に定めることが可能になる。
【００１５】
本発明では、遮光板支持機構の上記ホルダー部が、相互間に上記遮光板の収容空間を形成する１組の枠部と、上記収容空間に収容した上記遮光板を１組の上記枠部により挟持させて位置決めするための締結具と、を有している、という構成を採用することが可能である。この構成によれば、オペレータがスクリーン上に映し出された実写画像を見ながら、遮光板の位置を変更する作業を、締結具を操作して行うことができるようになる。
【００１６】
本発明では、上記遮光板が、矩形の上記画像投射領域の任意の１つの辺部を遮光する機能を有する板状体でなるという構成、上記遮光板が、矩形の上記画像投射領域の任意の１つの辺部又は複数の辺部を遮光する機能を有する矩形環状又はＬ字形の板状体でなるという構成、を必要に応じて選択採用することが可能である。
【００１７】
さらに、本発明では、上記遮光板が、矩形の上記画像投射領域の任意の１つの辺部又は複数の辺部を遮光する機能を有する矩形環状又はＬ字形の２枚の板状体でなり、かつ、それらの２枚の板状体の重なり状態での相対位置を変更することによって、上記画像投射領域のうちの遮光される領域及び透過される領域のサイズ及び位置が変更可能とされていることが望ましい。この構成を採用することにより、スクリーン上に映し出される実写画像のサイズや位置を所望通りに定めることが可能になる。
【発明の効果】
【００１８】
以上のように、本発明に係る投射型表示装置によれば、スクリーン上に映し出される実写画像からコマーシャル画像などの不要画像を排除することが可能になるので、視聴者がそのような不要画像に煩わされることなく実写画像を楽しむことができるようになる。また、画像投射領域から任意の領域に含まれる画像だけを切り出してスクリーンに実写画像として映し出すことが可能になるという効果も奏される。
【図面の簡単な説明】
【００１９】
【図１】本発明に係るプロジェクタとしての投射型表示装置の構成要素である表示装置本体の一例を示した外観斜視図である。
【図２】遮光板支持機構及びその遮光板支持機構に保持されている遮光板の使用状態を例示した一部破断側面図である。
【図３】遮光板の一例を示した概略斜視図である。
【図４】図３の遮光板の使用例を示した正面図である。
【図５】本発明に係る投射型表示装置の作用を示した説明図である。
【図６】遮光板としてのＬ字形の板状体の使用例を示した説明図である。
【図７】遮光板としてのＬ字形の板状体の他の使用例を示した説明図である。
【図８】遮光板としてのＬ字形の板状体のさらに他の使用例を示した説明図である。
【図９】遮光板としてのＬ字形の板状体のさらに他の使用例を示した説明図である。
【図１０】遮光板としてのＬ字形の板状体のさらに他の使用例を示した説明図である。
【図１１】遮光板としてのＬ字形の板状体のさらに他の使用例を示した説明図である。
【図１２】遮光板としてのＬ字形の板状体のさらに他の使用例を示した説明図である。
【図１３】遮光板としてのＬ字形の板状体のさらに他の使用例を示した説明図である。
【図１４】遮光板としてのＬ字形の板状体のさらに他の使用例を示した説明図である。
【発明を実施するための形態】
【００２０】
図１は本発明に係るプロジェクタとしての投射型表示装置の構成要素である表示装置本体１０の一例を示した外観斜視図である。この表示装置本体１０は、前面に鏡筒２０を備えていて、この鏡筒２０から投射した画像をスクリーン（不図示）に表示させる機能を備えている。
【００２１】
図２は遮光板支持機構３０及びその遮光板支持機構３０に保持されている遮光板４０の使用状態を例示した一部破断側面図である。遮光板支持機構３０は、表示装置本体の上記鏡筒に着脱可能な取付部３１と遮光板４０を保持するホルダー部３５とを有してなる。図例の遮光板支持機構３０において、取付部３１は、鏡筒２０の外側に巻付状態に嵌合される１つ割り形状のバンド部３２と、このバンド部３２の周方向の両端部同士を結合するための締付部３３を備えていて、締付部３３はたとえば図例のように手動操作が可能な蝶ボルトとその蝶ボルトがねじ込まれるナットとによって構成される。また、ホルダー部３５は、相互間に遮光板４０の収容空間Ｓを形成する１組の枠部３６，３７と、上記収容空間Ｓに収容した遮光板４０を１組の枠部３６，３７により挟持させて位置決めするための締結具３８とを有している。図例の締結具３８は、蝶ナットとその蝶ナットがねじ込まれるボルトとによって構成されていて、ボルトが矩形環状の各枠部３６，３７の４つの各コーナ部に備わっているボルト挿通孔３９（図４参照）に挿通される。
【００２２】
上記の遮光板支持機構３０において、取付部３１は、締付部３３の蝶ボルトを取り外してバンド部３２を鏡筒２０から取り外すことが可能である。したがって、鏡筒２０から投射される画像の全体をスクリーンに映し出したいときには、遮光板支持機構３０を用いる必要がない。
【００２３】
図３に遮光板４０の一例を概略斜視図で示してある。また、図４には遮光板４０の使用例を正面図で示してある。
【００２４】
遮光板４０は、上記した遮光板支持機構３０のホルダー部３５に保持されることによって投射型表示装置１０の鏡筒２０の前方位置に配置される。そして、鏡筒２０から投射される矩形の画像投射領域（後述する）の一部だけを遮光して残部を透過させるという機能を発揮する。この機能を発揮する遮光板４０には、１枚又は２枚のＬ字形の板状体（後述する）を採用したり、１枚又は２枚の矩形環状の板状体（後述する）を採用したりすることが可能である。そして、遮光板４０に用いられる板状体の形状がＬ字形であっても矩形環状であっても、その板状体には、矩形の画像投射領域の任意の１つの辺部、又は、複数の辺部を遮光する機能が付与されている必要がある。
【００２５】
図３に示した遮光板４０は、矩形環状の２枚の板状体４１，４２でなり、それぞれの板状体４１，４２には矩形の画像透過口４３，４４が備わっている。そのため、遮光板４０の２枚の板状体４１，４２を重ね合わせ、そのような重なり状態での２枚の板状体４１，４２の相対位置を変更することによって、それらの板状体４１，４２によって上記画像投射領域のうちの光が遮光される領域や光が透過される領域のサイズや位置が変更される。たとえば図４のように、遮光板４０としての２枚の板状体４１，４２の相対位置を重なり状態のままずらせると、一方の板状体４１の画像透過口４３の一部が他方の板状体４２によって塞がれ、他方の板状体４２の画像透過口４４の一部が一方の板状体４１によって塞がれるために、ずらせる方向やずらせ幅に応じて、遮光板４０としての実質的な画像透過口のサイズや位置が所望のサイズや位置に変更される。なお、図４には上記した枠部３６を仮想線で併せて示してある。
【００２６】
図５は本発明に係る投射型表示装置の作用を示した説明図であり、同図では遮光板４０としてＬ字形の板状体４５を示してある。同図において、１００は鏡筒２０の前方に設置されているスクリーン、Ｚは鏡筒２０から投射される矩形の画像投射領域を示している。同図によって判るように、矩形の画像投射領域Ｚは、鏡筒２０からスクリーン１００に至る途中の１箇所に形成されている不可視の画像形成領域を指し、この実施形態では、そのような矩形の画像投射領域Ｚが、鏡筒２０の前方位置の遮光板４０の設置位置に形成される不可視の画像形成領域を指している。したがって、たとえば、遮光板４０としてのＬ字形の板状体４５の下辺部を図５のように矩形の画像投射領域Ｚの下辺部に位置させると、板状体４５の下辺部に、その下辺部が遮光する矩形の画像投射領域Ｚの一部、具体的に画像投射領域Ｚの下辺部の画像だけが可視画像５０として映し出されるのに対し、スクリーン１００上には、板状体４５によっては遮光されずに透過した画像だけが実写画像１１０として映し出される。言い換えると、板状体４５の下辺部に映し出された画像投射領域Ｚの下辺部の可視画像５０を形成している光は、スクリーン１００上には届かない。なお、図５には、板状体４５の下辺部によって実写画像から排除された画像領域を符号１２０で示してある。
【００２７】
図３に示した矩形環状の２枚の板状体４１，４２を遮光板４０として採用した場合であっても、それらの板状体４１，４２の重なり状態での相対位置を適切に変更すると、図５に示した画像投射領域Ｚの下辺部だけを遮光することができるため、図５を参照して説明した実写画像１１０と同様の実写画像が得られる。また、板状体４１，４２の重なり状態での相対位置を種々変更することによって、画像投射領域Ｚの上片部だけを遮光したり、上辺部と下辺部との両方を遮光したり、左辺部又は右辺部あるいはその両方を遮光したり、さらには、下辺又は上辺部と右辺部又は左辺部とを遮光したりして実写画像１１０から排除される画像領域１２０のサイズや位置を調節することが可能である。これと同様の調節は、矩形環状の１枚の板状体を遮光板として用いることによっても可能である。しかしながら、２枚の板状体４１，４２を遮光板４０として用いると、特に、画像投射領域Ｚの４つの辺部のすべてを遮光することも可能であるので、実写画像１１０から排除される画像領域１２０のサイズや位置の調節の自由度が向上することになる。
【００２８】
以上のように、この実施形態に係る投射型表示装置によれば、画像投射領域Ｚの一部を実写画像１１０から排除することが可能である。したがって、画像投射領域Ｚに不要画像、たとえばコマーシャル画像や字幕画像といった視聴者にとっての不要画像が含まれる場合でも、視聴者は、その不要画像をスクリーン１００上に映し出される実写画像１１０から排除して映画などを楽しむことができる。
【００２９】
図６〜図１４には遮光板としてのＬ字形の板状体４５の使用例を示している。図６は１枚の板状体４５の全体を利用して画像投射領域Ｚの下辺部と右辺部とを遮光した事例である。図７は１枚の板状体４５の全体を利用して画像投射領域Ｚの下辺部と左辺部とを遮光した事例である。図８は１枚の板状体４５の全体を利用して画像投射領域Ｚの上辺部と左辺部とを遮光した事例である。図９は１枚の板状体４５の全体を利用して画像投射領域Ｚの上辺部と右辺部とを遮光した事例である。図１０は１枚の板状体４５の一部を利用して画像投射領域Ｚの下辺部を遮光した事例である。図１１は１枚の板状体４５の一部を利用して画像投射領域Ｚの上辺部を遮光した事例である。図１２は１枚の板状体４５の一部を利用して画像投射領域Ｚの左辺部を遮光した事例である。図１３は１枚の板状体４５の一部を利用して画像投射領域Ｚの右辺部を遮光した事例である。図１４は２枚の板状体４５，４５を利用して画像投射領域Ｚの４つの辺部のすべてを遮光した事例である。
【符号の説明】
【００３０】
１０  表示装置本体（プロジェクタ）
２０  鏡筒
３０  遮光板支持機構
３１  取付部
３５  ホルダー部
３６，３７  １組の枠部
３８  締結具
４０  遮光板
４１，４２  矩形環状の板状体
４５  Ｌ字形の板状体
１００  スクリーン
Ｓ  遮光板の収容空間
Ｚ  矩形の画像投射領域
【図１】
2011053316.tif 000003
【図２】
2011053316.tif 000004
【図３】
2011053316.tif 000005
【図４】
2011053316.tif 000006
【図５】
2011053316.tif 000007
【図６】
2011053316.tif 000008
【図７】
2011053316.tif 000009
【図８】
2011053316.tif 000010
【図９】
2011053316.tif 000011
【図１０】
2011053316.tif 000012
【図１１】
2011053316.tif 000013
【図１２】
2011053316.tif 000014
【図１３】
2011053316.tif 000015
【図１４】
2011053316.tif 000016